(57)【要約】【課題】変圧器におけるオンサイトの常時監視による劣化診断を簡易且つ安価でコンパクトな構成により行うこと。【解決手段】変圧器の診断システム１は、変圧器２の劣化を診断する変圧器の診断システムであって、変圧器２に設けられ、変圧器２に用いられる絶縁油７の温度を測定する油温センサ１７と、変圧器２に設けられ、絶縁油７中の水分量を測定する水分量センサ１８と、油温センサ１７及び水分量センサ１８により得られた温度及び水分量の経時データに基づいて、変圧器２に用いられる絶縁紙の重合度を推定し、重合度から変圧器２の劣化を評価する評価部３０と、を備える。【選択図】図１
2019102694.tif 000002
【特許請求の範囲】
【請求項１】
変圧器の劣化を診断する変圧器の診断システムであって、
前記変圧器に設けられ、前記変圧器に用いられる絶縁油の温度を測定する油温センサと、
前記変圧器に設けられ、前記絶縁油中の水分量を測定する水分量センサと、
前記油温センサ及び前記水分量センサにより得られた前記温度及び前記水分量の経時データに基づいて、前記変圧器に用いられる絶縁紙の重合度を推定し、前記重合度から前記変圧器の劣化を評価する評価部と、を備える変圧器の診断システム。
【請求項２】
前記評価部は、前記経時データにおいて、所定の前記温度の変化における前記水分量の変化量から前記重合度を推定する、請求項１に記載の変圧器の診断システム。
【請求項３】
前記評価部は、前記経時データにおいて、所定の前記温度における前記水分量の変化速度から前記重合度を推定する、請求項１に記載の変圧器の診断システム。
【請求項４】
前記評価部は、前記経時データにおいて、前記水分量を前記温度で除した値の積算値から前記重合度を推定する、請求項１に記載の変圧器の診断システム。
【請求項５】
前記評価部は、前記変圧器の劣化を段階的に評価する、請求項１から請求項４のいずれか一項に記載の変圧器の診断システム。
【請求項６】
前記評価部は、前記重合度の経時データに基づいて、前記変圧器の使用可能期間を評価する寿命評価部を備える、請求項１から請求項５のいずれか一項に記載の変圧器の診断システム。
【請求項７】
前記変圧器に用いられる絶縁紙及び絶縁油を密閉した油中水分検出槽を、前記変圧器の絶縁油中に備え、
前記油温センサ及び前記水分量センサは、それぞれ、前記油中水分検出槽の前記絶縁油の油温及び前記絶縁油中の水分量を測定する、請求項１から請求項６のいずれか一項に記載の変圧器の診断システム。
【請求項８】
前記評価部は、前記変圧器に設けられ、かつ、ネットワークに接続され、前記評価部による評価の結果を、前記ネットワークを介して接続される所定の処理装置に送信する、請求項１から請求項７のいずれか一項に記載の変圧器の診断システム。
【請求項９】
前記油温センサ及び前記水分量センサは、ネットワークに接続され、前記絶縁油の温度及び前記絶縁油中の水分量を、前記ネットワークを介して接続される所定の処理装置に備えられる前記評価部に送信する、請求項１から請求項７のいずれか一項に記載の変圧器の診断システム。
【請求項１０】
変圧器の劣化を診断する変圧器の診断方法であって、
前記変圧器に設けられる油温センサにより、前記変圧器に用いられる絶縁油の温度を測定することと、
前記変圧器に設けられる水分量センサにより、前記絶縁油中の水分量を測定することと、
前記油温センサ及び前記水分量センサにより得られた前記温度及び前記水分量の経時データに基づいて、前記変圧器に用いられる絶縁紙の重合度を推定し、前記重合度から前記変圧器の劣化を評価することと、を含む、変圧器の診断方法。
【請求項１１】
鉄心と、前記鉄心に装着され、絶縁紙により絶縁された巻線と、前記巻線及び前記鉄心を浸漬する絶縁油とを備える、変圧器であって、
請求項１から請求項９のいずれか一項に記載の変圧器の診断システムを備える、変圧器。
【発明の詳細な説明】
【技術分野】
【０００１】
本発明は、変圧器の診断システム、変圧器の診断方法、及び変圧器に関する。
【背景技術】
【０００２】
近年、受変電機器の高経年化に伴うメンテナンス強化の必要性が重要視されている中で、状態監視による経年劣化状態の見える化と状態基準メンテナンス(CBM:Condition Based Maintenance)等によるメンテナンスの効率化が推進されている。油入変圧器の内部状態診断は、一般的に異常診断、劣化診断に大別される。異常診断は、変圧器内に封入された絶縁油中（油中）の溶存ガスを検出し、検出した溶存ガスにより、変圧器内部の異常の有無あるいは様相変化に関する診断を行う。劣化診断は、変圧器においては巻線絶縁紙の劣化状態の診断を意味する。劣化診断は、例えば、変圧器内の巻線絶縁紙の劣化により生成されて絶縁油中に溶存する一酸化炭素、二酸化炭素、フラン化合物などの劣化生成物を検出し、評価することで行われている（例えば、下記の特許文献１）。これらの診断は、例えば、メンテナンスなどの際に油入変圧器から絶縁油を採取し、採取した絶縁油中の対象成分を測定施設に設置される分析装置で定量分析することにより実施されている。また、５００ｋＶ送電用の変圧器などの大規模で運用・メンテナンスコストが大きい大型変圧器では、異常の早期発見の観点から、絶縁油中における複数種のガスを精度よく分析可能な分析設備を変圧器に設け、オンサイトで常時監視による異常診断が行われる場合もある。
【先行技術文献】
【特許文献】
【０００３】
【特許文献１】特開平７−０９４３３４号公報
【発明の概要】
【発明が解決しようとする課題】
【０００４】
上記のように変圧器から採取した絶縁油の分析により劣化診断を行う場合、労力、時間及びコストを要する。また、上記のように絶縁油中における複数種のガスを精度よく分析可能な分析設備を変圧器に設ける場合、設備規模及び設備コストが増大する。
【０００５】
配電用変圧器などの比較的規模の小さい変圧器（小規模変圧器）においても、内部状態の常時監視（オンラインモニタリング）が望まれるが、小規模変圧器においては、上記したオンサイトの分析設備導入に対する費用対効果の点であまり適用されておらず、絶縁油を採取して実施することによる内部状態の診断が一般的である。小規模変圧器において、異常診断に関しては、小規模で簡易な油中ガスセンサなどを用いてオンラインモニタリングを実現する事例もあるが、劣化診断に関しては実現されていない。劣化診断を常時監視するオンラインモニタリングで実施する場合、例えば、絶縁油中に溶存するガスの一種である一酸化炭素、二酸化炭素を用いて実施することになる。小規模で簡易な油中ガスセンサを用いて劣化診断を実施する場合、現状、一酸化炭素と二酸化炭素とを共に検出できるセンサの機種はなく、またフラン化合物については検出可能なセンサ自体がない。すなわち、現状では、従来の手法による劣化診断は、小規模で簡易な構成により実現することが困難である。
【０００６】
以上のような事情に鑑み、本発明は、変圧器におけるオンサイトの常時監視による劣化診断を、簡易且つ安価でコンパクトな構成により行うことを目的とする。
【課題を解決するための手段】
【０００７】
本発明に係る変圧器の診断システムは、変圧器の劣化を診断する変圧器の診断システムであって、変圧器に設けられ、変圧器に用いられる絶縁油の温度を測定する油温センサと、変圧器に設けられ、絶縁油中の水分量を測定する水分量センサと、油温センサ及び水分量センサにより得られた温度及び水分量の経時データに基づいて、変圧器に用いられる絶縁紙の重合度を推定し、重合度から変圧器の劣化を評価する評価部と、を備える。なお、「絶縁紙の重合度」は、絶縁紙を構成するセルロースの平均重合度である。以下、「絶縁紙の重合度」を「重合度」と略すことがある。
【０００８】
また、評価部は、経時データにおいて、所定の温度の変化における水分量の変化量から重合度を推定してもよい。また、評価部は、経時データにおいて、所定の温度における水分量の変化速度から重合度を推定してもよい。また、評価部は、経時データにおいて、水分量を温度で除した値の積算値から重合度を推定してもよい。また、評価部は、変圧器の劣化を段階的に評価してもよい。また、評価部は、重合度の経時データに基づいて、変圧器の使用可能期間を評価する寿命評価部を備えてもよい。また、変圧器の診断システムは、変圧器に用いられる絶縁紙及び絶縁油を密閉した油中水分検出槽を、変圧器の絶縁油中に備え、油温センサ及び水分量センサは、それぞれ、油中水分検出槽の絶縁油の油温及び絶縁油中の水分量を測定してもよい。また、評価部は、変圧器に設けられ、かつ、ネットワークに接続され、評価部による評価の結果を、ネットワークを介して接続される所定の処理装置に送信してもよい。また、油温センサ及び水分量センサは、ネットワークに接続され、絶縁油の温度及び絶縁油中の水分量を、ネットワークを介して接続される所定の処理装置に備えられる評価部に送信してもよい。
【０００９】
本発明に係る変圧器の診断方法は、変圧器の劣化を診断する変圧器の診断方法であって、変圧器に設けられる油温センサにより、変圧器に用いられる絶縁油の温度を測定することと、変圧器に設けられる水分量センサにより、絶縁油中の水分量を測定することと、油温センサ及び水分量センサにより得られた温度及び水分量の経時データに基づいて、変圧器に用いられる絶縁紙の重合度を推定し、重合度から変圧器の劣化を評価することと、を含む。
【００１０】
本発明の変圧器は、鉄心と、鉄心に装着され、絶縁紙により絶縁された巻線と、巻線及び鉄心を浸漬する絶縁油とを備える、変圧器であって、上記した変圧器の診断システムを備える。
【発明の効果】
【００１１】
本発明に係る変圧器の診断システム、変圧器の診断方法、及び変圧器は、変圧器におけるオンサイトの常時監視による劣化診断を、簡易且つ安価でコンパクトな構成により行うことができる。
【図面の簡単な説明】
【００１２】
【図１】第１実施形態に係る変圧器の診断システムを示す図である。
【図２】第１実施形態における絶縁油の温度、絶縁紙中水分量及び絶縁油中水分量の関係を示すグラフである。
【図３】第１実施形態における絶縁紙の劣化度、紙中水分量、及び油中水分量の関係を示すグラフである。
【図４】第１実施形態の評価部による絶縁紙（ＤＰ１０００）における油中水分量及び油温の経時データの処理の説明図である。
【図５】第１実施形態の評価部による絶縁紙（ＤＰ６００）における油中水分量及び油温の経時データの処理の説明図である。
【図６】第１実施形態の評価部による絶縁紙（ＤＰ４５０）における油中水分量及び油温の経時データの処理の説明図である。
【図７】第１実施形態における水分変化量と絶縁紙の重合度との関係を示すグラフである。
【図８】第１実施形態における寿命評価部による評価の説明図である。
【図９】第１実施形態に係る変圧器の診断方法のフローチャートである。
【図１０】第２実施形態に係る変圧器の診断システムを示す図である。
【図１１】第２実施形態の評価部による絶縁紙（ＤＰ１０００）における油中水分量及び油温の経時データの処理の説明図である。
【図１２】第２実施形態の評価部による絶縁紙（ＤＰ６００）における油中水分量及び油温の経時データの処理の説明図である。
【図１３】第２実施形態の評価部による絶縁紙（ＤＰ４５０）における油中水分量及び油温の経時データの処理の説明図である。
【図１４】第２実施形態における立ち上がり温度と、絶縁紙の重合度との関係を示すグラフである。
【図１５】第２実施形態に係る変圧器の診断方法のフローチャートである。
【図１６】第３実施形態に係る変圧器の診断システムを示す図である。
【図１７】第３実施形態の評価部による絶縁紙（ＤＰ１０００）における油中水分量及び油温の経時データの処理の説明図である。
【図１８】第３実施形態の評価部による絶縁紙（ＤＰ６００）における油中水分量及び油温の経時データの処理の説明図である。
【図１９】第３実施形態の評価部による絶縁紙（ＤＰ４５０）における油中水分量及び油温の経時データの処理の説明図である。
【図２０】第３実施形態における油温降下時の水分変化速度と、絶縁紙の重合度との関係を示すグラフである。
【図２１】第４実施形態に係る変圧器の診断システムを示す図である。
【図２２】第４実施形態における油中水分量／油温積算値と、絶縁紙の重合度との関係を示すグラフである。
【図２３】第４実施形態に係る変圧器の診断方法のフローチャートである。
【図２４】第５実施形態に係る変圧器の診断システムを示す図である。
【図２５】第６実施形態に係る変圧器の診断システムを示す図である。
【図２６】参考例の検証装置を示す図であり、（Ａ）は概略図、（Ｂ）は写真である。
【図２７】参考例における室温変動に応じた油温変化に対する両センサにより測定された油中水分量の変化を示すグラフである。
【図２８】参考例における温度センサＡで測定した油温と油中水分量の関係を示すグラフである。
【図２９】参考例における絶縁紙（ＤＰ１０００）に対する油温の変動パターンと油中水分量の変化を示すグラフであり、（Ａ）は油温、（Ｂ）は油中水分量を示す。
【図３０】参考例における絶縁紙（ＤＰ１０００）と絶縁紙（ＤＰ４５０）の油温に対する油中水分量の変化を比較した図であり、（Ａ）は油温、（Ｂ）は油中水分量を示す。
【図３１】参考例における絶縁紙（ＤＰ１０００）と絶縁紙（ＤＰ４５０）の油温及び油中水分量のトレンドを比較した図であり、（Ａ）昇温時間を長くした条件におけるデータ（Ｂ）は通常の昇温時間におけるデータである。
【図３２】参考例における劣化絶縁紙（ＤＰ４５０）の油温変化に対する油中水分変化を示す図であり、（Ａ）は油温、（Ｂ）は油中水分量を示す。
【図３３】参考例における劣化絶縁紙（ＤＰ６００）の油温変化に対する油中水分変化を示す図であり、（Ａ）は油温、（Ｂ）は油中水分量を示す。
【図３４】参考例における絶縁紙（ＤＰ１０００、ＤＰ４５０、ＤＰ６５０）と劣化絶縁紙における水分の吸脱着速度を比較した図であり、（Ａ）は油温、（Ｂ）は油中水分量を示す。
【発明を実施するための形態】
【００１３】
以下、実施形態について図面を参照しながら説明する。ただし、本発明はこれに限定されるものではない。また、図面においては実施形態を説明するため、一部分を大きく又は強調して記載するなど適宜縮尺を変更して表現している。
【００１４】
［第１実施形態］
図１は、第１実施形態に係る変圧器の診断システム（以下、「診断システム」と称す。）を概念的に示す図である。本実施形態の診断システム１は、変圧器の劣化を診断する。診断システム１は、油入変圧器に用いられる。診断システム１は、油入変圧器中の絶縁油の温度と絶縁油中の水分量との経時データに基づいて、常時監視による劣化の診断を行う。本実施形態では、診断システム１は、本実施形態の変圧器２に備えられる構成として説明する。
【００１５】
本実施形態の変圧器２について説明する。本実施形態の変圧器２は、鉄心４と、鉄心４に装着され、絶縁紙（巻線絶縁紙）により絶縁された巻線（一次巻線５、二次巻線６）と、巻線（一次巻線５、二次巻線６）及び鉄心４を浸漬する絶縁油７とを備える変圧器であって、診断システム１を備えている。変圧器２の構成は、油入変圧器であれば、限定されず任意である。すなわち、診断システム１は、任意の油入変圧器に適用可能である。例えば、変圧器２は、配電用変圧器などの比較的規模の小さい変圧器（例、印加電圧が６６００Ｖ等の柱上変圧器）でもよいし、送電用変圧器などの比較的大規模な変圧器（例、印加電圧が６０ｋＶ以上の変圧器）でもよい。
【００１６】
本実施形態では、変圧器２が、鉄心４と、一次巻線５（巻線）、二次巻線６（巻線）、絶縁油７、タンク８、冷却器１０、一次ブッシング１１、二次ブッシング１２、及び診断システム１を備える構成として説明する。
【００１７】
タンク８は、上方に蓋（図示せず）が設けられ、蓋により内部を密閉した状態で封止することができる。タンク８の内部には、鉄心４、一次巻線５、及び二次巻線６が収容される。また、タンク８の内部には、絶縁油７が収容される。鉄心４は、Ｏ字状である。鉄心４の外周には、一次巻線５及び二次巻線６が巻回されている。一次巻線５及び二次巻線６は、それぞれ、絶縁紙（図示せず）に被覆された導体が巻回されたものである。一次巻線５及び二次巻線６は、それぞれ、絶縁紙により絶縁されている。この絶縁紙は、ＪＩＳなどの工業規格により定められた特性を有する絶縁紙である。一次巻線５及び二次巻線６が巻回された鉄心４は、絶縁油７に浸漬された状態で、タンク８に収容される。絶縁油７は、絶縁及び冷却の媒体として機能する。絶縁油７は、ＪＩＳなどの工業規格により定められた特性を有する絶縁油である。一次巻線５及び二次巻線６は、それぞれ、配線を介して、一次ブッシング１１、二次ブッシング１２に接続されている。
【００１８】
タンク８には、配管１４を介して、冷却器１０が接続される。冷却器１０は、絶縁油７を冷却する。冷却器１０は、変圧器２の内部で発生した熱により温度上昇した絶縁油７を、空気との熱交換により冷却する。なお、冷却器１０の構成は、上記の例に限定されず任意である。例えば、冷却器１０は、送風機、フィン、ラジエター、ポンプ等を備えるタイプでもよい。
【００１９】
診断システム１は、例えば、センサ収容部１６、油温センサ１７、水分量センサ１８、処理装置１９、及び表示装置２０を備える。診断システム１は、配管２２を介してタンク８に接続される。センサ収容部１６は、油温センサ１７及び水分量センサ１８を内部に収容する。また、センサ収容部１６は、配管２２を介してタンク８から絶縁油７を内部に流入させ、絶縁油７を内部に収容する。これにより、センサ収容部１６の内部に収容される油温センサ１７及び水分量センサ１８における測定素子は、絶縁油７に接触する。
【００２０】
油温センサ１７は、絶縁油７の温度を測定するセンサである。油温センサ１７は、絶縁油７の温度を経時的に測定する。油温センサ１７は後に説明する処理装置１９に通信可能に接続される。油温センサ１７の測定結果は、処理装置１９に送られる。油温センサ１７は、例えば、絶縁油７の温度を検出限界１℃で測定可能な公知のセンサを用いることができる。すなわち、油温センサ１７は、比較的安価なセンサを用いることができる。油温センサ１７は、油温の変化に対する感度が高く、測定精度がよいセンサが好ましい。なお、油温センサ１７の構成は、特に限定されず、任意である。
【００２１】
水分量センサ１８は、絶縁油７中の水分量を測定するセンサである。水分量センサ１８は、絶縁油７中の水分量を経時的に測定する。水分量センサ１８は、処理装置１９に通信可能に接続される。水分量センサ１８の測定結果は、処理装置１９に送られる。水分量センサ１８は、例えば、絶縁油７の水分量を検出限界数ｐｐｍ程度で測定可能な公知のセンサを用いることができる。すなわち、水分量センサ１８は、比較的安価なセンサを用いることができる。水分量センサ１８は、水分量の変化に対する感度が高く、測定精度がよいセンサが好ましい。なお、水分量センサ１８の構成は、特に限定されず、任意である。
【００２２】
なお、油温センサ１７（油温センサ１７の設置位置）は、後に説明する参考例等で説明するように、変圧器２内の絶縁油７の油温を示す（反映する）温度を測定することができればよい。例えば、油温センサ１７は、その測定素子の設置位置に応じて測定結果が異なる場合もあるが、このような場合においても、例えば、測定結果を補正することにより、診断システム１において用いることができる。また、水分量センサ１８（水分量センサ１８の設置位置）においても、上記の油温センサ１７と同様に、変圧器２内の絶縁油７中の水分量を示す（反映する）水分量を測定することができればよい。
【００２３】
また、油温センサ１７及び水分量センサ１８は、一体で構成されてもよいし、互いに独立した構成でもよい。また、油温センサ１７及び水分量センサ１８は、それぞれ、測定可能であれば、センサ収容部１６により収容されなくてもよい。例えば、油温センサ１７及び水分量センサ１８は、タンク８内に配置し、配管２２を省略する構成でもよい。
【００２４】
処理装置１９は、油温センサ１７及び水分量センサ１８により得られた温度及び水分量の経時データに基づいて、絶縁紙の重合度を推定し、重合度から変圧器２の劣化を評価する。本実施形態の診断システム１は、油温センサ１７及び水分量センサ１８により得られた結果に基づいて、変圧器２の劣化を評価するので、装置サイズがコンパクトである。
【００２５】
処理装置１９は、例えば、ＣＰＵ、メインメモリ、記憶装置、通信装置等を備え、各種情報の処理を行うコンピュータ装置である。処理装置１９は、例えば、油温センサ１７の測定結果及び水分量センサ１８の測定結果に基づく各種の情報（データ）の処理、情報の記憶、情報の入出力、情報の通信（送受信）等を行う。
【００２６】
処理装置１９は、例えば、処理部２４、記憶部２５、及び通信部２６を備える。記憶部２５は、ハードディスク、不揮発性メモリ等の記憶装置であり、各種情報（データ）を記憶（格納）する。記憶部２５には、例えば、処理装置１９の各部の動作に必要な各種プログラムあるいは各種情報、油温センサ１７の測定結果、水分量センサ１８の測定結果、それらの測定結果に基づく情報等が記憶される。通信部２６は、各種情報の通信（送受信）を行う。通信部２６は、油温センサ１７の測定結果及び水分量センサ１８の測定結果の受信を行う。また、通信部２６は、ネットワークＮＷを介した情報の送受信が可能である。例えば、通信部２６は、ネットワークＮＷを介して、処理装置２８と各種情報の通信（送受信）を行う。ネットワークＮＷは、光ファイバ、ＡＤＳＬ、ＰＬＣ（Power Line Communication；電力線搬送通信）等の有線ネットワークでもよいし、無線でもよい。処理装置１９には、表示装置２０及び入力装置（図示せず）が接続される。表示装置２０は、処理装置１９の指令に基づいて、各種情報を表示する。また、入力装置は、処理装置１９に各種情報を入力する。
【００２７】
処理部２４は、各種演算等の処理を行う。処理部２４は、例えば、油温センサ１７から送られた測定結果及び水分量センサ１８から送られた測定結果を、それぞれ、経時データに処理する。また、処理部２４は、評価部３０を備える。
【００２８】
ここで、絶縁油７中の水分の挙動について説明する。図２は、絶縁油の温度、絶縁紙中水分量、及び絶縁油７中水分量の関係を示すグラフである。図２に示すグラフは、Y.Duら著, "Moisture Equilibrium in Transformer Paper-Oil Systems",IEEE Electrical Insulation Magazine, Vol.15, No.1, 1999, から引用したグラフである。図２において、縦軸は絶縁紙中水分量（wt%）を示し、横軸は絶縁油中水分量(ppm)を示す。なお、以下の説明において、「絶縁油の温度」を「油温」、「絶縁紙中水分量」を「紙中水分量」、「絶縁油中水分量」を「油中水分量」と、称すこともある。
【００２９】
変圧器２内において、水分は、絶縁紙と絶縁油７との間で分担されて保持される。この水分は、絶縁油７が一定温度の場合、絶縁紙と絶縁油７との間において平衡状態となるが、図２に示すように、油温が変わると絶縁紙と絶縁油７との間で水分が移動する現象が知られる。その結果、変圧器２の負荷変動などに起因する油温の変化に対して、絶縁油７中の水分量は増減する。例えば、油温が上がると、絶縁紙に保持される水分の一部は、絶縁紙から絶縁油７に移動する。反対に、油温が下がると、絶縁油７中の水分は、絶縁油７から絶縁紙に移動する。
【００３０】
図３は、絶縁紙の劣化度、紙中水分量、及び油中水分量の関係を示すグラフである。図３は、油温７０℃において、絶縁紙の重合度（ＤＰ）がＤＰ１０００、ＤＰ６００、ＤＰ４５０を示す絶縁紙における、紙中水分量と油中水分量との関係を示している。また、本明細書の説明において、その重合度が「ｘ」である絶縁紙を、絶縁紙（ＤＰｘ）と表記することがある。例えば、絶縁紙の重合度がＤＰ１０００、ＤＰ６００、ＤＰ４５０を示す絶縁紙は、それぞれ、絶縁紙（ＤＰ１０００）、絶縁紙（ＤＰ６００）、絶縁紙（ＤＰ４５０）と表記する。なお、重合度において、ＤＰ１０００は新品の絶縁紙の重合度であり、ＤＰ６００及びＤＰ４５０は劣化品の絶縁紙の重合度である。各重合度（ＤＰ１０００、ＤＰ６００、ＤＰ４５０）の絶縁紙は、参考例で説明するように、油温の昇降を行うことにより、人為的に作製することが可能である。
【００３１】
絶縁紙が劣化すると、絶縁紙の構成成分であるセルロースの分子間の結合が切断されていく。また、変圧器の劣化の程度（劣化度）は、絶縁紙の引張強さの低下の程度に起因する。また、絶縁紙の引張強さは、重合度と密接な関係があることが知られる。これらのことから、絶縁紙及び変圧器において、絶縁紙の重合度は、絶縁紙の劣化度及び変圧器の劣化度と密接な関係があり、絶縁紙の劣化度及び変圧器の劣化度の指標とされている。例えば、絶縁紙の重合度の値が小さいほど、絶縁紙の劣化度及び変圧器の劣化度が大きいことを示す。
【００３２】
また、上記した紙中水分量と油中水分量との平衡関係は、図３に示すように、絶縁紙の劣化度に応じて異なる。例えば、図３に示すように、絶縁紙の劣化度が大きい場合、絶縁紙中の水分は、絶縁油７側へ移行しやすくなることがわかる。これは、絶縁紙の劣化度が大きくなると、絶縁紙の保水力が低下するためであると考えられる。また、参考例に示すように、上記した絶縁紙の劣化の進行（劣化度の増加）による油中水分量の増加は、油温が高いほど顕著に表れる。
【００３３】
ここで、油中水分量及び油温の経時データについて説明する。なお、本明細書において、経時データとは、経時的に測定されたデータを意味する。油中水分量及び油温の経時データは、変圧器２の日々の負荷の変動に応じて、変圧器の油温が変化し、変化した油温に応じた油中水分量を示すデータとなる。油中水分量及び油温の経時データは、例えば、変圧器２が昼間は高負荷であり夜間は低負荷であるため、日周期的な変動を示すデータとなる。油中水分量及び油温の経時データは、例えば、参考例に示すように、油温が周期的に変動する場合、ヒステリシスな環状トレンド（環状に変化するパターン）のデータとなる（図１８、図１９参照）。
【００３４】
図４から図６は、油中水分量及び油温の経時データＤ１（以下、「経時データ」と略して表記する。）の一例を示す図である。図４から図６には、種々の劣化度の絶縁紙（ＤＰ１０００（図４）、ＤＰ６００（図５）、ＤＰ４５０（図６））における経時データＤ１を示す。なお、図４から図６に示した各劣化度の絶縁紙における経時データＤ１は、それぞれ、後に説明する参考例と同様の方法で、人為的に油温を変化させたときに、油温センサ及び水分量センサＡを用いて所定の時間間隔で油温及び油中水分量を測定することにより作成したデータである。図４及び図５に示す経時データＤ１は、油温を３０℃から７０℃に上昇させ油温を７０℃に所定時間保持した後に、油温を３０℃に降温させる油温制御（昇降サイクル）を２回繰り返したときに得られたデータである。図６に示す経時データＤ１は、図４及び図５と同様の昇降サイクルを３回繰り返したときに得られたデータである。なお、３０℃から７０℃の油温の変動は、変圧器の実負荷の１０％から９０％における油温の変動に相当する。また、図４から図６に示す継時データＤ１のそれぞれにおいて、１回目と２回目の油温制御における７０℃の保持時間は異なっている。また、図４から図６に示す経時データＤ１において、タンク（容器部６６）中の油温が３０℃から７０℃で変動するのに対して、油温センサ１７による測定温度の変化が２５℃から４８℃であったが、この油温センサ１７による測定温度の変化は、実際の油温の昇降パターンと同様の昇降パターンを示し、実際の油温の変化が反映したものである（参考例参照）。
【００３５】
図４から図６に示す経時データＤ１は、上記したように油温を昇降させたサイクルを２回又は３回繰り返したときに得られたデータである。このため、図４から図６に示す経時データＤ１は、２つあるいは３つのヒステリシスな環状トレンドが存在するデータとなる。
【００３６】
図２及び図３で説明したように、油温、絶縁紙の劣化度、紙中水分量、及び油中水分量は関係を有している。このため、図４から図６に示す経時データＤ１は、絶縁紙の劣化度に応じて異なるデータとなり、これらの経時データＤ１から、絶縁紙の劣化度を求める（推定する）ことが可能となる。
【００３７】
本実施形態の診断システム１では、処理部２４における評価部３０（図１参照）が、経時データＤ１に基づいて、変圧器２に用いられる絶縁紙の重合度を推定し、重合度から変圧器（絶縁紙）の劣化を評価する。
【００３８】
評価部３０による経時データＤ１に基づく重合度の評価は、図２及び図３で説明した油温、絶縁紙の劣化度、紙中水分量、及び油中水分量は関係を用いた任意の方法により実施することができる。例えば、本実施形態の評価部３０は、経時データＤ１において、所定の温度（油温）の変化に対する油中水分量の変化量（以下、「水分変化量」と略して表記する。）から重合度を推定する。以下、評価部３０が図４から図６に示す経時データＤ１を評価するケースを一例として説明する。
【００３９】
まず、評価部３０は、経時データＤ１から、所定の油温の変化におけるデータを抽出する。上記所定の油温の変化は、予め設定される。上記所定の油温の変化は、任意に設定可能である。上記したように、上記した絶縁紙の劣化の進行（劣化度の増加）による油中水分量の増加は、油温が高いほど顕著に表れるため、設定する所定の油温の変化は、比較的高温の油温におけるデータを含む方が好ましい。例えば、設定する所定の油温の変化は、本実施形態のように、タンク８中の絶縁油７の温度で７０℃程度（比較的高温）の油温を含むのが好ましい。また、抽出する比較的高温の油温におけるデータは、多い方が好ましい。
【００４０】
なお、診断システム１は、例えば、変圧器２内の絶縁油７の油温が７０℃程度まで達しない場合、あるいは油温が７０℃程度で保持される時間が短い場合、温度幅が小さくなり、変圧器（絶縁紙）の劣化の評価の感度が低くなる可能性があるため、タンク８内にヒーターなどの加熱装置を設け、油温を所定の温度（７０℃程度）に上昇させて、規定時間保持する変圧器の劣化の評価用の動作を行う構成を備えてもよい。この構成の場合、診断システム１における変圧器の劣化の評価を確実かつ精度よく実施することができる。
【００４１】
なお、上記の所定の油温の変化は、油温の変化の範囲として設定してもよいし、所定の変動パターンとして設定してもよい。例えば、本実施形態では、所定の油温の変化を、センサにより測定された油温が２５℃から４８℃に上昇した後２５℃に下降する変化に含まれる範囲として設定している。この場合、評価部３０は、図４から図６に示す経時データＤ１の場合、所定の油温の変化を示す２つ又は３つの環状トレンドのデータを抽出する。
【００４２】
続いて、評価部３０は、抽出した所定の油温の変化に相当するデータにおける水分変化量を求める。例えば、本例の評価部３０では、上記のように抽出した、複数の所定の油温の変化に相当するデータにおける水分変化量の平均値を算出する。評価部３０は、複数の所定の油温の変化に相当するデータにおける水分変化量のうち、最大の水分変化量と最小の水分変化量とを求めて、これらの平均値を算出する。評価部３０は、例えば、図４から図６に示す経時データＤ１の場合、以下の表１に示す水分変化量（平均）を算出する。
【００４３】
【表１】
2019102694.tif 000003
【００４４】
なお、評価部３０による水分変化量の算出の方法は、上記の例に限定されず任意である。例えば、評価部３０は、複数の所定の油温の変化に相当するデータにおけるそれぞれの水分変化量を求めて、それらの平均値を水分変化量として算出してもよいし、また、複数の所定の油温の変化に相当するデータにおける最大の水分変化量を水分変化量として算出してもよい。
【００４５】
続いて、評価部３０は、求めた水分変化量に基づいて、重合度を推定する。水分変化量は、重合度と相関がある。図７は、水分変化量と絶縁紙の重合度との関係を示すグラフである。図７は、図４から図６に示した経時データＤ１に基づいて得られた水分変化量と、絶縁紙の重合度との関係を示すグラフである。例えば、図７に示す例の場合、水分変化量と重合度との間には、図中に示した関係式で表される相関の関係がある。すなわち、評価部３０は、未知の経時データＤ１から水分変化量を求め、水分変化量と重合度との関係に基づいて、重合度を推定することができる。図７に示すように、水分変化量と重合度との間との関係は、高い相関を示すので、重合度を精度よく推定することができる。
【００４６】
評価部３０が用いる上記の水分変化量と重合度との関係は、予め記憶部２５に情報（データ）として記憶される。評価部３０は、求めた水分変化量を、記憶部２５に記憶される水分変化量と重合度との関係情報に照合し、重合度を推定する。評価部３０により求められた重合度は、処理部２４により、経時データとして、記憶部２５に格納される。
【００４７】
上記の水分変化量と重合度との関係は、油温（所定の油温の変化）、絶縁紙の組成あるいは絶縁油の組成に応じて変化するが、予備実験、あるいは、数値解析などのシミュレーションなどにより、予め求めることができる。なお、評価部３０は、上記した水分変化量と重合度との関係情報を用いる処理を行わずに、経時データＤ１と重合度とを直接関連づけた情報に基づいて、重合度を推定してもよい。例えば、経時データＤ１と重合度とを直接関連づけた情報は、機械学習などにより求めた情報でもよい。
【００４８】
上記したように、変圧器２の劣化診断は変圧器２においては絶縁紙の劣化状態の診断を意味し、また、絶縁紙の劣化度はセルロースの重合度で表すことができる。すなわち、評価部３０により重合度を求めることにより、変圧器（絶縁紙）の劣化度（劣化状態）を定量的に診断することができる。
【００４９】
また、評価部３０は、変圧器（絶縁紙）の劣化度を段階的に評価する。例えば、評価部３０は、求めた重合度から、下記の表２に示す基準により、変圧器（絶縁紙）の劣化度を段階的に評価（判定）する。これにより、変圧器（絶縁紙）の劣化度を、シンプルかつ適切に表現することができる。なお、下記の表２に示すように、段階的評価の基準は、ＪＥＭ１４６３「変圧器用絶縁紙の平均重合度評価基準」では、重合度４５０を寿命レベル、重合度２５０を危険レベルとしており、この基準を用いてもよい。
【００５０】
【表２】
2019102694.tif 000004
【００５１】
また、本実施形態の評価部３０は、重合度の経時データに基づいて、変圧器の使用可能期間を評価する寿命評価部３２を備える。
【００５２】
図８は、寿命評価部による評価の説明図である。例えば、寿命評価部３２は、図８に示すように、記憶部２５に記憶される重合度の経時データの近似式を求め、求めた近似式に基づいて、変圧器の使用可能期間を評価する。例えば、寿命評価部３２は、図８に示すように、求めた近似式から、平均重合度が寿命レベルを示す４５０、あるいは危険レベルを示す２５０となる時（年）（ｔ１、ｔ２）を算出し、平均重合度が寿命レベルに達するまでの期間（ｔ１−ｔ０）あるいは危険レベルに達するまでの期間（ｔ２−ｔ０）を求めることにより、変圧器の使用可能期間について評価する。これにより、変圧器の寿命を簡単に評価することができる。上記の近似式を求める方法は、特に限定されず、任意である。例えば、上記の近似式は、Acker, C.R著、「Transformer Insulation Deterioration and Transformers Life Expectancy-A More Comprehensive Concept」, IEEE PES, Winter Meeting, A76, p21-26, 1976,に記載される方法により、下記の式（１）を用いて重合度の経時データを最小二乗法により近似することにより得ることができる。
【００５３】
【数１】
2019102694.tif 000005
【００５４】
評価部３０（寿命評価部３２）は、上記した変圧器（絶縁紙）の劣化、及び変圧器の使用可能期間を、所定の時間間隔で継続して評価する。なお、上記所定の時間間隔は、任意に設定可能である。例えば、評価部３０（寿命評価部３２）は、上記の評価をリアルタイムに実施してもよいし、数分あるいは数時間ごとに実施してもよい。本実施形態の診断システム１は、上記のようにして、変圧器における常時監視による劣化の診断を行う。
【００５５】
また、評価部３０は、図１に示すように、ネットワークＮＷに接続され、評価部３０による評価の結果を、ネットワークＮＷを介して接続される所定の処理装置２８に送信する。評価部３０による評価の結果は、寿命評価部３２の評価結果を含み、例えば、上記した重合度、変圧器（絶縁紙）の劣化の評価、及び変圧器の使用可能期間の評価等を含む。
【００５６】
上記の処理装置２８は、例えば、ＣＰＵ、メインメモリ、記憶装置、通信装置等を備え、各種情報の処理を行うコンピュータ装置である。この処理装置２８は、データ管理部３４、記憶部３５を含む。処理装置２８は、評価部３０から送られた評価の結果（評価結果）を、記憶部３５に逐次格納する。データ管理部３４は、評価結果に基づいた、変圧器の管理及び監視を行う。例えば、データ管理部３４は、評価結果において、要注意レベル、寿命レベル、危険レベル等の変圧器（絶縁紙）の劣化が特定の程度を示す変圧器、あるいは、変圧器の使用可能期間が短い等の変圧器の使用可能期間が特定の程度を示す変圧器がある場合、その旨をユーザに示す構成にしてもよい。本実施形態においては、図１に示すように、複数の変圧器２が処理装置２８にネットワークＮＷを介して接続され、それぞれ、処理装置２８により管理及び監視が行われる、変圧器管理システムが構成されている。なお、上記した評価部３０が評価結果を所定の処理装置２８に送信する構成を備えるか否かは任意である。
【００５７】
また、処理装置１９は、表示装置２０を備える。表示装置２０は、各種情報を表示する。例えば、表示装置２０は、評価部３０の評価結果を表示する。表示装置２０は、液晶ディスプレイ、タッチパネルなどである。なお、表示装置２０を備えるか否かは任意である。
【００５８】
上記の説明のように、本実施形態の診断システム１は、変圧器の劣化を診断する変圧器の診断システムであって、変圧器２に設けられ、変圧器２に用いられる絶縁油７の温度を測定する油温センサ１７と、変圧器２に設けられ、絶縁油７中の水分量を測定する水分量センサ１８と、油温センサ１７及び水分量センサ１８により得られた温度及び水分量の経時データＤ１に基づいて、変圧器２に用いられる絶縁紙の重合度を推定し、重合度から変圧器（絶縁紙）の劣化を評価する評価部３０と、を備える。この構成の場合、診断システム１は、簡易且つ安価でコンパクトな油温センサ１７及び水分量センサ１８を用いて、変圧器（絶縁紙）の劣化を評価するので、変圧器における常時監視による劣化診断を、簡易且つ安価でコンパクトな構成により行うことができる。
【００５９】
また、上記の説明のように、本実施形態の変圧器２は、上記した本実施形態の診断システム１を備えるので、変圧器におけるオンサイトの常時監視による劣化診断を、簡易且つ安価でコンパクトな構成により行うことができる。
【００６０】
次に、上述した診断システム１に基づいて、本実施形態の変圧器の診断方法について説明する。図９は、本実施形態の変圧器の診断方法のフローチャートである。
【００６１】
本実施形態の変圧器の診断方法は、変圧器の劣化を診断する変圧器の診断方法である。変圧器の診断方法は、本実施形態の診断システム１を用いて行うことができる。
【００６２】
例えば、本実施形態の診断方法では、図９のステップＳ１において、上記のように、変圧器２に設けられる油温センサ１７により、変圧器２に用いられる絶縁油７の温度を測定する。続いて、ステップＳ２において、上記のように、変圧器２に設けられる水分量センサ１８により、絶縁油７中の水分量を測定する。
【００６３】
続いて、ステップＳ３において、上記のように、評価部３０により、油温センサ１７及び水分量センサ１８により得られた温度及び水分量の経時データＤ１に基づいて、変圧器２に用いられる絶縁紙の重合度を推定する。例えば、ステップＳ４において、上記のように、評価部３０により、経時データＤ１において、所定の温度の変化における水分量の変化量から重合度を推定する。例えば、評価部３０は、上記したように、経時データＤ１から、予め設定した所定の油温の変化に相当するデータを抽出し、抽出した所定の油温の変化に相当するデータにおける水分変化量（平均）を求め、重合度を推定する。
【００６４】
続いて、ステップＳ５において、上記のように、評価部３０により、重合度から変圧器の劣化を評価する。例えば、評価部３０は、上記のように、重合度から変圧器の劣化を段階的に評価する。
【００６５】
続いて、ステップＳ６において、上記のように、寿命評価部３２により、重合度の経時データに基づいて、変圧器の使用可能期間を評価する。例えば、寿命評価部３２は、上記のように、平均重合度が寿命レベルあるいは危険レベルとなる時（日）を算出し、平均重合度が寿命レベルに達するまでの期間あるいは危険レベルに達するまでの期間を求めることにより、変圧器の使用可能期間について評価する。
【００６６】
上記の説明のように、本実施形態の変圧器の診断方法は、変圧器の劣化を診断する変圧器の診断方法であって、変圧器２に設けられる油温センサ１７により、変圧器２に用いられる絶縁油７の温度を測定することと、変圧器２に設けられる水分量センサ１８により、絶縁油７中の水分量を測定することと、油温センサ１７及び水分量センサ１８により得られた温度及び水分量の経時データＤ１に基づいて、変圧器２に用いられる絶縁紙の重合度を推定し、重合度から変圧器２の劣化を評価することと、を含む。この構成の場合、変圧器の診断方法は、簡易且つ安価でコンパクトな油温センサ１７及び水分量センサ１８を用いて、変圧器に用いられる絶縁紙の劣化を評価するので、変圧器におけるオンサイトの常時監視による劣化診断を、簡易且つ安価でコンパクトな構成により行うことができる。
【００６７】
以上説明したように、本実施形態の変圧器２、診断システム１、及び変圧器の診断方法は、変圧器におけるオンサイトの常時監視による劣化診断を、簡易且つ安価でコンパクトな構成により行うことができる。
【００６８】
［第２実施形態］
第２実施形態について説明する。本実施形態において、上述の実施形態と同様の構成については、同じ符号を付してその説明を省略あるいは簡略化する。
【００６９】
図１０は、第２実施形態の診断システム１Ａ及び変圧器２Ａを示す図である。この診断システム１Ａは、重合度を推定する方法が第１実施形態と異なる評価部３０Ａを備える点が、第１実施形態の診断システム１と異なっており、評価部３０Ａ以外の構成は、第１実施形態の診断システム１と同様である。診断システム１Ａは、本実施形態の変圧器２Ａに備えられる。変圧器２Ａは、診断システム１Ａ以外の構成は、第１実施形態の変圧器２と同様である。
【００７０】
以下、本実施形態の評価部３０Ａが図１１から図１３に示す経時データＤ１を評価するケースを一例として説明する。図１１から図１３に示す経時データＤ１は、それぞれ、図４から図６と同一の経時データＤ１であり、種々の劣化度の絶縁紙（ＤＰ１０００（図１１）、ＤＰ６００（図１２）、ＤＰ４５０（図１３））におけるデータである。
【００７１】
図１１から図１３の経時データＤ１に示すように、各経時データＤ１では、各環状トレンドにおける高温時において、油中水分量が急激に立ち上がる現象が見られる（図中の「○」の部分）。経時データＤ１では、この油中水分量が急激に立ち上がる温度（以下、「立ち上がり温度」と称す。）は、図１１から図１３に示すように、絶縁紙の劣化度によって、差異が見られる。したがって、この立ち上がり温度から、重合度を推定することができる。
【００７２】
そこで、本実施形態の評価部３０Ａは、経時データＤ１において、所定の温度における油中水分量の変化の速度（以下、「水分変化速度」と略して表記する。）から重合度を推定する。まず、評価部３０Ａは、経時データＤ１から、所定の温度の範囲におけるデータを抽出する。この所定の温度は、予め設定される。上記の所定の温度は、例えば、経時データＤ１において、温度の最大値から所定の範囲の温度に設定される。これにより、経時データＤ１の複数の環状トレンドにおける高温時のデータを選択することができる。例えば、図１１から図１３に示す経時データＤ１の場合、油温が２５℃から４８℃までの変動を示すので、最大値（４８℃）から１０℃の範囲の温度（３８℃から４８℃）を、所定の温度として設定する。
【００７３】
続いて、評価部３０Ａは、上記のように抽出した経時データＤ１の各環状トレンドにおける高温時のデータにおいて、油中水分変化速度の変化（油中水分量の変化の加速度）が最大を示す温度を求める。これにより、環状トレンドにおける立ち上がり温度を求めることができる。そして、評価部３０Ａは、各環状トレンドにおける立ち上がり温度の平均値を算出し、重合度の推定に用いる。評価部３０Ａは、例えば、図１１から図１３に示す経時データＤ１の場合、下記の表３に示すように、立ち上がり温度を算出する。
【００７４】
【表３】
2019102694.tif 000006
【００７５】
続いて、評価部３０Ａは、求めた立ち上がり温度に基づいて、重合度を推定する。上記立ち上がり温度は、重合度と相関がある。図１４は、立ち上がり温度と絶縁紙の重合度との関係を示すグラフである。図１４は、図１１から図１３に示した経時データＤ１に基づいて得られた立ち上がり温度と、絶縁紙の重合度との関係を示すグラフである。例えば、図１３に示す例の場合、立ち上がり温度と重合度との間には、図中に示す関係式で表される相関の関係がある。すなわち、評価部３０Ａは、立ち上がり温度を求め、立ち上がり温度と重合度との関係に基づいて、重合度を推定することができる。図１４に示すように、立ち上がり温度と重合度との間との関係は、高い相関を示すので、重合度を精度よく推定することができる。
【００７６】
本実施形態の評価部３０Ａの評価結果は、図１１から図１３、表３の結果から、第１実施形態の評価部３０の評価結果と同様に、重合度を精度よく推定していることが確認される。
【００７７】
以上のように、診断システム１Ａは、評価部３０Ａにより重合度を求めることにより、変圧器（絶縁紙）の劣化度（劣化状態）を定量的に診断する。
【００７８】
なお、評価部３０Ａは、上記した以外の点については、第１実施形態の評価部３０と同様である。例えば、評価部３０Ａは、第１実施形態の評価部３０と同様に、変圧器（絶縁紙）の劣化度を段階的に評価（判定）する。
【００７９】
次に、上述した診断システム１Ａに基づいて、本実施形態の変圧器の診断方法について説明する。図１５は、本実施形態の変圧器の診断方法のフローチャートである。
【００８０】
本実施形態の変圧器の診断方法は、第１実施形態の変圧器の診断方法におけるステップＳ４に代えて、ステップＳ７を行う点が、第１実施形態の変圧器の診断方法と異なっている。なお、本実施形態の変圧器の診断方法は、上記以外は、第１実施形態の変圧器の診断方法と同様である。
【００８１】
本実施形態の変圧器の診断方法は、ステップＳ７において、評価部３０Ａにより、経時データＤ１において、所定の温度における油中水分量の変化の速度から重合度を推定する。例えば、評価部３０Ａは、上記のように、経時データＤ１の複数の環状トレンドにおける高温時のデータを抽出し、抽出したデータから、環状トレンドにおける油中水分変化速度の変化（油中水分量の変化の加速度）が最大を示す温度（立ち上がり温度）を求める。経時データＤ１の環状トレンドにおける各環状トレンドにおける高温時のデータにおいて、油中水分変化速度の変化（油中水分量の変化の加速度）が最大を示す温度を求め、重合度を推定する。
【００８２】
以上説明したように、本実施形態の変圧器２Ａ、診断システム１Ａ、及び変圧器の診断方法は、変圧器におけるオンサイトの常時監視による劣化診断を、第１実施形態と同様に、簡易且つ安価でコンパクトな構成により行うことができる。
【００８３】
［第３実施形態］
第３実施形態について説明する。本実施形態において、上述の実施形態と同様の構成については、同じ符号を付してその説明を省略あるいは簡略化する。
【００８４】
図１６は、第３実施形態の診断システム１Ｂ及び変圧器２Ｂを示す図である。この診断システム１Ｂは、重合度を推定する方法が第１実施形態と異なる評価部３０Ｂを備える点が、第１実施形態の診断システム１と異なっており、評価部３０Ｂ以外の構成は、第１実施形態の診断システム１と同様である。診断システム１Ａは、本実施形態の変圧器２Ｂに備えられる。変圧器２Ｂは、診断システム１Ｂ以外の構成は、第１実施形態の変圧器２と同様である。
【００８５】
以下、本実施形態の評価部３０Ｂが図１７から図１９に示した経時データＤ１を評価するケースを一例として説明する。図１７から図１９に示す経時データＤ１は、それぞれ、図４から図６と同一の経時データＤ１であり、種々の劣化度の絶縁紙（ＤＰ１０００（図１７）、ＤＰ６００（図１８）、ＤＰ４５０（図１９））におけるデータである。
【００８６】
図１７から図１９の経時データＤ１に示すように、各経時データＤ１では、油温降下時における油温に対する油中水分量の変化の速度（水分変化速度）が異なる（各図中の矢印部分を参照）。この理由は特に限定されないが、絶縁紙は劣化により保水力（水分吸着力）が低くなっているため、水分が速やかに絶縁紙に戻らないということが想定される。すなわち、この油温降下時における油温に対する油中水分量の変化の速度（水分変化速度）から、重合度を推定することができる。
【００８７】
そこで、本実施形態の評価部３０Ｂは、第２実施形態の評価部３０Ａと同様に、経時データＤ１において、所定の温度における水分変化速度から重合度を推定するが、経時データＤ１において、所定の油温降下時における油中水分量の変化の速度（以下、「油温降下時の水分変化速度」と称す。）に基づいて、重合度を推定する。
【００８８】
まず、本実施形態の評価部３０Ｂは、経時データＤ１から、所定の油温降下時におけるデータを抽出する。継時データＤ１の抽出に用いられる所定の油温降下は、特に限定されず任意である。上記所定の油温降下は、例えば、油温降下のパターンで設定してもよいし、油温降下の範囲で設定してもよい。上記所定の油温降下は、予め設定される。上記の所定の油温降下は、例えば、経時データＤ１における油温の最大値から最小値に設定される。例えば、上記の所定の油温降下は、図１７から図１９に示す経時データＤ１の場合、油温が４８℃から２５℃までの油温降下のパターンを示すので、この油温降下のパターンに設定される。
【００８９】
続いて、評価部３０Ｂは、上記のように抽出した経時データＤ１の各環状トレンドにおける油温降下のパターンを示す範囲のデータにおいて、油中水分量の変化の速度（水分変化速度）を求める。例えば、本実施形態の評価部３０Ｂは、図１７から図１９の経時データＤ１に示すように、油温が４８℃から２５℃までの油温降下のパターンを示す範囲において、油温の変化量に対する油中水分量の変化量の比率を求める。これにより、評価部３０Ｂは、各環状トレンドにおける所定の油温降下時における油中水分量の変化の速度を求めることができる。評価部３０Ｂによる上記油温の変化量に対する油中水分量の変化量の比率を求める方法は、特に限定されず任意である。例えば、本実施形態の評価部３０Ｂは、図１７から図１９の経時データＤ１に示すように、油温が４８℃から２５℃までの油温降下のパターンのうち、油温の変化量に対する油中水分量の変化量の比率が最大を示す部分に対する漸近線ｆ１を求め、その漸近線ｆ１の傾き（油中水分変化量／油温変化量）を、上記油温降下時の水分変化速度として設定する。なお、図１７から図１９に示す漸近線ｆ１は、油温２０℃、油中水分量５ｐｐｍを通る一次式として設定している。また、評価部３０Ｂによる漸近線ｆ１の求め方は、上記の例に限定されず、任意である。
【００９０】
そして、評価部３０Ｂは、図１７から図１９に示すように、算出した各環状トレンドにおける油温降下時の上記油温の変化量に対する油中水分量の変化量の比率（例、漸近線ｆ１の傾き）のうち、絶対値が最大を示すものを上記油温降下時の水分変化速度として、重合度の推定に用いる。なお、評価部３０Ｂは、算出した各環状トレンドにおける油温降下時の上記油温の変化量に対する油中水分量の変化量の比率の平均値を、重合度の推定に用いてもよい。
【００９１】
続いて、評価部３０Ｂは、求めた上記油温降下時の水分変化速度（例、漸近線ｆ１の傾き）に基づいて、重合度を推定する。上記油温降下時の水分変化速度は、重合度と相関がある。図２０は、油温降下時の水分変化速度と絶縁紙の重合度との関係を示すグラフである。図２０は、図１７から図１９に示した経時データＤ１に基づいて得られた油温降下時の水分変化速度と絶縁紙の重合度との関係を示すグラフである。例えば、図２０に示す例の場合、油温降下時の水分変化速度と重合度との間には、図中に示す関係式で表される相関の関係がある。すなわち、評価部３０Ｂは、上記油温降下時の水分変化速度を求め、上記油温降下時の水分変化速度と重合度との関係に基づいて、重合度を推定することができる。図２０に示すように、上記油温降下時の水分変化速度と重合度との間との関係は、高い相関を示すので、重合度を精度よく推定することができる。
【００９２】
本実施形態の評価部３０Ｂの評価結果は、図１７から図２０の結果から、第１実施形態の評価部３０の評価結果と同様に、重合度を精度よく推定していることが確認される。
【００９３】
以上のように、診断システム１Ｂは、評価部３０Ｂにより重合度を求めることにより、変圧器（絶縁紙）の劣化度（劣化状態）を定量的に診断する。
【００９４】
なお、評価部３０Ｂは、上記した以外の点については、第１実施形態の評価部３０と同様である。例えば、評価部３０Ｂは、第１実施形態の評価部３０と同様に、変圧器（絶縁紙）の劣化度を段階的に評価（判定）する。
【００９５】
次に、上述した診断システム１Ｂに基づいて、本実施形態の変圧器の診断方法について説明する。
【００９６】
本実施形態の変圧器の診断方法は、第２実施形態の変圧器の診断方法におけるステップＳ７（図１５参照）において、経時データＤ１において所定の温度における油中水分量の変化の速度から重合度を推定することが、経時データＤ１において所定の油温降下時における油中水分量の変化の速度（油温降下時の水分変化速度）に基づいて重合度を推定する点で、第２実施形態の変圧器の診断方法と異なっている。なお、本実施形態の変圧器の診断方法は、上記以外は、第２実施形態の変圧器の診断方法と同様である。
【００９７】
本実施形態の変圧器の診断方法は、図１５のステップＳ７において、本実施形態の評価部３０Ｂにより、上記のように、経時データＤ１において所定の油温降下時における油中水分量の変化の速度（油温降下時の水分変化速度）に基づいて重合度を推定する。例えば、評価部３０Ｂは、上記のように、経時データＤ１の複数の環状トレンドにおける油温降下時のデータを抽出し、抽出したデータから、環状トレンドにおける油温降下時の水分変化速度を求め、油温降下時の水分変化速度と重合度との関係に基づいて、重合度を推定する。
【００９８】
以上説明したように、本実施形態の変圧器２Ｂ、診断システム１Ｂ、及び変圧器の診断方法は、変圧器におけるオンサイトの常時監視による劣化診断を、上記の実施形態と同様に、簡易且つ安価でコンパクトな構成により行うことができる。
【００９９】
［第４実施形態］
第４実施形態について説明する。本実施形態において、上述の実施形態と同様の構成については、同じ符号を付してその説明を省略あるいは簡略化する。
【０１００】
図２１は、第４実施形態の診断システム１Ｃ及び変圧器２Ｃを示す図である。この診断システム１Ｃは、重合度を推定する方法が第１実施形態と異なる評価部３０Ｃを備える点が、第１実施形態の診断システム１と異なっており、評価部３０Ｃ以外の構成は、第１実施形態の診断システム１と同様である。診断システム１Ｃは、本実施形態の変圧器２Ｃに備えられる。変圧器ＣＡは、診断システム１Ｃ以外の構成は、第１実施形態の変圧器２と同様である。
【０１０１】
以下、本実施形態の評価部３０Ｃが図４から図６に示した経時データＤ１を評価するケースを一例として説明する。
【０１０２】
図４から図６に示した経時データＤ１では、油中水分量／油温の積算値は、絶縁紙の劣化度が進むほど大きい傾向がある。したがって、油中水分量／油温の積算値から、重合度を推定することができる。
【０１０３】
そこで、本実施形態の評価部３０Ｃは、経時データＤ１において、油中水分量／油温の積算値から重合度を推定する。評価部３０Ｃは、図４から図６に示した経時データＤ１において、油中水分量の各測定データを、油中水分量が測定されたときの油温で除すことにより、各測定点における油中水分量／油温の値を求める。続いて、評価部３０Ｃは、図４から図６に示した経時データＤ１における所定の範囲の油中水分量／油温の値を積算する。例えば、この経時データＤ１における所定の範囲は、図４から図６に示した経時データＤ１における油温昇降の１サイクル分とすることができる。評価部３０Ｃは、図４から図６に示した経時データＤ１のように油温昇降が複数サイクルである場合、所定の範囲における油中水分量／油温の値の積算値（以下「油中水分量／油温積算値」と称す。）を、各サイクルの平均値あるいは中央値にしてもよいし、各サイクルにおける最大値にしてもよい。
【０１０４】
続いて、評価部３０Ｃは、求めた油中水分量／油温積算値に基づいて、重合度を推定する。上記油中水分量／油温積算値は、重合度と相関がある。図２２は、油中水分量／油温積算値と絶縁紙の重合度との関係を示すグラフである。図２２は、図４から図６に示した経時データＤ１に基づいて得られた油中水分量／油温積算値と、絶縁紙の重合度との関係を示すグラフである。例えば、図２２に示す例の場合、油中水分量／油温積算値との間には、図中に示す関係式で表される相関の関係がある。すなわち、評価部３０Ｃは、油中水分量／油温積算値を求め、油中水分量／油温積算値と重合度との関係に基づいて、重合度を推定することができる。図２２に示すように、油中水分量／油温積算値と重合度との間との関係は、高い相関を示すので、重合度を精度よく推定することができる。
【０１０５】
本実施形態の評価部３０Ｃの評価結果は、図２２の結果から、第１実施形態の評価部３０の評価結果と同様に、重合度を精度よく推定していることが確認される。
【０１０６】
以上のように、診断システム１Ｃは、評価部３０Ｃにより重合度を求めることにより、変圧器（絶縁紙）の劣化度（劣化状態）を定量的に診断する。
【０１０７】
なお、評価部３０Ｃは、上記した以外の点については、第１実施形態の評価部３０と同様である。例えば、評価部３０Ｃは、第１実施形態の評価部３０と同様に、変圧器（絶縁紙）の劣化度を段階的に評価（判定）する。
【０１０８】
次に、上述した診断システム１Ｃに基づいて、本実施形態の変圧器の診断方法について説明する。図２３は、本実施形態の変圧器の診断方法のフローチャートである。
【０１０９】
本実施形態の変圧器の診断方法は、第１実施形態の変圧器の診断方法におけるステップＳ４に代えて、ステップＳ８を行う点が、第１実施形態と異なっている。なお、本実施形態の変圧器の診断方法は、上記以外は、第１実施形態の変圧器の診断方法と同様である。
【０１１０】
本実施形態の変圧器の診断方法は、ステップＳ８において、評価部３０Ｃにより、経時データＤ１において、経時データＤ１における油中水分量／油温の積算値に基づいて、重合度を推定する。例えば、評価部３０Ｃは、上記のように、経時データＤ１における所定の範囲の油中水分量／油温の値を積算し、求めた油中水分量／油温の積算値に基づいて、重合度を推定する。
【０１１１】
以上説明したように、本実施形態の変圧器２Ｃ、診断システム１Ｃ、及び変圧器の診断方法は、変圧器におけるオンサイトの常時監視による劣化診断を、第１実施形態と同様に、簡易且つ安価でコンパクトな構成により行うことができる。
【０１１２】
［第５実施形態］
第５実施形態について説明する。本実施形態において、上述の実施形態と同様の構成については、同じ符号を付してその説明を省略あるいは簡略化する。
【０１１３】
図２４は、第５実施形態の診断システム１Ｄを示す図である。本実施形態の診断システム１Ｄは、油中水分検出槽４１を備える点が第１実施形態の診断システム１と異なっている。診断システム１Ｄは、変圧器２Ｄに備えられている。
【０１１４】
ところで、上記した診断システム１等は、絶縁紙の平均重合度と、油温変化に対する油中水分量の変化を関係付け、絶縁紙の劣化を評価するものであるが、実際の変圧器では、機器ごとに負荷条件（油温）、内部構造による水分拡散速度の変化、紙量や油量などの運転状況や機器条件等の条件の違いがあり、これらの条件によっては個別のデータを得る必要があるケースも想定される。
【０１１５】
そこで、本実施形態の診断システム１Ｄでは、一定（特定）の絶縁紙と絶縁油を収納した油中水分検出槽４１を設けて、上記のようなデータを採取する。これにより、上述の各変圧器の機器の種類などの条件の違いを抑制することができる。
【０１１６】
本実施形態の診断システム１Ｄは、変圧器２Ｄに用いられる絶縁紙４０及び絶縁油４３を密閉した油中水分検出槽４１を、変圧器２Ｄの絶縁油７中に備え、油温センサ１７及び水分量センサ１８は、それぞれ、油中水分検出槽４１の絶縁油４３の油温及び絶縁油４３中の水分量を測定する。油中水分検出槽４１は、内部を密封可能な比較的小さい容器である。油中水分検出槽４１は、絶縁性を有する材料で形成されている。油中水分検出槽４１は、変圧器２Ｄのタンク８の内部の絶縁油７中に配置される。油中水分検出槽４１の内部には、絶縁油４３が封入され、絶縁油４３中に絶縁紙４０が配置されている。この絶縁油４３は、変圧器２Ｄのタンク８内の絶縁油７と同様である。また、この絶縁紙４０は、変圧器２Ｄの巻線に用いられる絶縁紙と同様である。油中水分検出槽４１は、配管２２を介して、センサ収容部１６に接続される。すなわち、本実施形態の診断システム１Ｄでは、油中水分検出槽４１における油中水分量及び油温を、水分量センサ１８、油温センサ１７により測定する。また、油中水分検出槽４１には、加熱装置４２を、任意に設けてもよい。加熱装置４２は、油中水分検出槽４１の内部の絶縁油４３を所定の温度に加熱する。加熱装置４２は、例えば、制御装置（図示せず）により、変圧器２Ｄのタンク８内の絶縁油７と同等の温度になるように、油中水分検出槽４１の内部の絶縁油４３の温度を制御する。加熱装置４２を制御する制御装置は、例えば、油温センサ１７の測定結果あるいは巻線の温度を測定するセンサ（図示せず）等の測定結果に基づいて、変圧器２Ｄのタンク８内の絶縁油７と同様の温度になるように、加熱装置４２を制御する。このような加熱装置４２を備えることにより、油中水分検出槽４１の絶縁紙４０と、変圧器２Ｄの巻線の絶縁紙との劣化状態の差を抑制することができる。なお、油中水分検出槽４１の絶縁紙４０と、変圧器２Ｄの巻線の絶縁紙との劣化状態に差がある場合、実験あるいはシミュレーション等のデータに基づく補正処理を行うことにより、油中水分検出槽４１の絶縁紙４０と、変圧器２Ｄの巻線の絶縁紙との劣化状態の差を抑制してもよい。また、上記の例では、油中水分検出槽４１を変圧器２Ｄの内部に配置する例を示したが、この例に限定されず、診断システム１Ｄ（変圧器２Ｄ）は、油中水分検出槽４１が変圧器２Ｄのタンク８の外部に設けられる構成でもよい。また、診断システム１Ｄ（変圧器２Ｄ）は、水分量センサ１８及び油温センサ１７を油中水分検出槽４１の内部に設け、油中水分検出槽４１と一体化して変圧器２Ｄの内部（タンク８内の絶縁油７中）に設置し、配管２２を省略する構成としてもよい。この構成の場合、変圧器２Ｄへの取り付け位置の制約に関わらず、油中水分検出槽４１を変圧器２Ｄ内部の油温上昇位置、例えば、油面近接部分等に設置できるので、油温環境に応じて行う加熱装置４２による油温の調整を不要あるいは最小限とすることができる。
【０１１７】
そして、本実施形態の診断システム１Ｄでは、水分量センサ１８及び油温センサ１７の測定結果は、第１から第４実施形態の診断システム１、１Ａ〜１Ｃ（第１から第４実施形態の変圧器の診断方法）と同様に、処理装置１９に送られて処理され、変圧器２Ｄ（絶縁紙）の劣化状態が診断される。
【０１１８】
以上説明したように、本実施形態の変圧器２Ｄ、及び、診断システム１Ｄ、及び変圧器の診断方法は、一定（特定）の絶縁紙４０と絶縁油４３を密閉して収納した油中水分検出槽４１を設けて、絶縁紙の劣化状態を診断することにより、上述した各変圧器の機器の種類などの条件の違いを抑制することができる。
【０１１９】
［第６実施形態］
第６実施形態について説明する。本実施形態において、上述の実施形態と同様の構成については、同じ符号を付してその説明を省略あるいは簡略化する。
【０１２０】
図２５は、第６実施形態の診断システム１Ｅを示す図である。本実施形態の診断システム１Ｅは、油温センサ１７及び水分量センサ１８は、ネットワークＮＷに接続され、絶縁油７の温度及び絶縁油７中の水分量を、ネットワークＮＷを介して接続される所定の処理装置２８Ｅに備えられる評価部３０に送信する点が第１実施形態と異なっている。
【０１２１】
診断システム１Ｅは、油温センサ１７、水分量センサ１８、処理装置１９Ｅ、処理装置２８Ｅを備える。油温センサ１７及び水分量センサ１８は、第１実施形態と同様であり、処理装置１９Ｅに測定結果を送る。処理装置１９Ｅは、処理部２４Ｅ、記憶部２５、及び通信部２６を備える。処理装置１９Ｅは、ＣＰＵ、メインメモリ、記憶装置、通信装置等を備え、各種情報の処理を行うコンピュータ装置である。処理装置１９Ｅは、油温センサ１７及び水分量センサ１８から送られた測定結果を、通信部２６を介して、処理装置２８Ｅに送る。処理部２４Ｅは、評価部３０を備えない点以外は、第１実施形態の処理部２４と同様である。記憶部２５及び通信部２６は、第１実施形態と同様である。
【０１２２】
処理装置２８Ｅは、データ管理部３４、記憶部３５、及び、処理部３６（評価部３０、寿命評価部３２）を備える。データ管理部３４、記憶部３５は、第１実施形態と同様である。
【０１２３】
処理装置２８Ｅの処理部３６（評価部３０、寿命評価部３２）は、処理装置２８Ｅに備えられる点以外は、第１実施形態の処理部２４（評価部３０、寿命評価部３２）と同様である。処理装置２８Ｅは、処理部３６（評価部３０、寿命評価部３２）により、第１実施形態と同様に、油温センサ１７及び水分量センサ１８から送られた測定結果から、重合度を推定し、重合度から変圧器の劣化及び変圧器の使用可能期間を評価する。なお、処理装置２８Ｅは、第１実施形態の評価部３０に代えて、上記実施形態の評価部３０Ａ〜３０Ｃを備える構成としてもよい。
【０１２４】
上記した本実施形態の診断システム１Ｅの構成においても、簡易且つ安価でコンパクトな油温センサ１７及び水分量センサ１８を用いて、変圧器に用いられる絶縁紙の劣化を評価するので、変圧器におけるオンサイトの常時監視による劣化診断を、簡易且つ安価でコンパクトな構成により行うことができる。
【実施例】
【０１２５】
以下に、参考例によって本発明をさらに詳細に説明するが、本発明は、参考例によってなんら限定されるものではない。
【０１２６】
［参考例］
油入変圧器の絶縁油の油温を測定する油温センサ及び絶縁油中の水分量を測定するセンサを用いて油温及び水分量を測定し、得られた油温及び水分量の経時データのトレンドの変化による変圧器の劣化診断の可能性を検証した。
【０１２７】
（水分量センサ）
本検証では、２台の水分量センサ（センサＡ、センサＢ）として、オンラインガスモニタを用いた。検証に用いたオンラインガスモニタの仕様を表４に示す。本検証では水分、温度を検証の対象とした。なお、絶縁油中の水分量は、オンラインガスモニタの演算回路により油中水分量（ｐｐｍ）に換算し測定した。なお、表４において、「ＲＳ」は、油中水分飽和度を意味する。油中水分飽和度は、ある温度の油中に存在可能な最大水分量に対する実際の油中水分量の割合であり、相対的な値である。
【０１２８】
【表４】
2019102694.tif 000007
【０１２９】
＜検証装置＞
本検証に用いたオンラインガスモニタ検証装置５０（検証装置）の概略図を図２６（Ａ）、検証装置５０の写真を図２６（Ｂ）に示す。以下、検証装置について、説明する。検証装置５０の容器部６６（以下、「容器」と称すこともある。）は、アクリル製の円筒部材６６を上下のフランジ５３で挟むことにより、円筒部材６６の内部を密閉した構造である。容器部６６の内部は絶縁油６５で満たし、絶縁油６５中に絶縁紙６３を配置した。絶縁油６５の温度調節は、温度調節器（図示せず）を接続したヒーター５４と冷却管５５とを用いて実施した。絶縁油６５の温度は、４つの熱電対５７〜６０を用いて測定した。オンラインガスモニタ（センサＡ５１、センサＢ５２）は、それぞれ、配管を介して下部フランジ５３に取り付けた。また、容器部６６には、内部への絶縁油６５の導入に用いる採油用弁５２と、内部の圧力を調整に用いる圧力弁５１と、が設けられている。
【０１３０】
（試料）
絶縁油６５として、JIS C 2320「電気絶縁油」１種２号の新油を脱気して用いた。絶縁紙は、JIS C 2304「コイル絶縁紙」２種（クラフト紙）を用いた。絶縁紙の紙中水分量は、大容量変圧器の現地作業基準の１５４ｋＶ級以下の管理値である２％（重量％）に調整した。劣化状態の絶縁紙（劣化品の絶縁紙（ＤＰ６００、ＤＰ４５０））は、調湿した新品の絶縁紙（ＤＰ１０００）を、絶縁油入り空気密封ステンレスタンク内で、加熱することにより、加速劣化させて作製した。
【０１３１】
新品の絶縁紙（ＤＰ１０００）及び作製した劣化状態の絶縁紙の劣化度を、新品の絶縁紙（ＤＰ１０００）に対する平均重合度残率として表５に示す。平均重合度残率は、式（平均重合度残率＝劣化品の平均重合度／新品の平均重合度）で表される値である。なお、絶縁油量と絶縁紙量との比率は、実器相当とした。また、容器部６６内における絶縁油６５面の上部空間には、乾燥空気を密封した。
【０１３２】
【表５】
2019102694.tif 000008
【０１３３】
（検証方法）
検証にあたって、容器部６６内に絶縁油６５と各絶縁紙１３を封入した状態で、室温で一定時間静置することで紙中／油中水分の平衡状態を作った。絶縁油６５の温度は、変圧器における低負荷時の油温を模擬した３０℃と高負荷時の油温を模擬した７０℃とし、予め設定した油温変動パターンとなるよう温度調節器で制御した。検証中は、絶縁油６５全体が均一な温度となるように、マグネチックスターラー（撹拌子）５６を用いて、常に撹拌を行った。なお、絶縁油６５の加熱や冷却に伴う容器部６６内の圧力変化が生じないように、圧力弁５１を用いて容器部６６内の圧力を調整した。
【０１３４】
＜検証結果＞
（センサの応答性に関する検証）
（１）オンラインガスモニタとＪＩＳ法で測定した油中水分量の比較
オンラインガスモニタで測定した油中水分量と、一般的に用いられるJIS C 2101による方法で測定した油中水分量と差異を把握するために、上記の２つの方法による油中水分量の測定結果を比較した。表６に、２つの方法により測定した油中水分量を比較した結果を示す。その結果、室温下での十分な静置状態においては、オンラインガスモニタで測定した値とＪＩＳ法で規定された方法で測定した値は、同程度であり、本検証で対象としたオンラインガスモニタによる油中水分量の測定結果は、信頼性が高いことが確認された。
【０１３５】
【表６】
2019102694.tif 000009
【０１３６】
（２）静置状態での水分応答性
図２７に静置状態での室温変動に応じた油温変化に対する両センサにより測定された油中水分量の変化を示す。両センサの油中水分量は、油温の上昇傾向に伴い増加傾向を示すことが確認できた。特に、センサＡの油中水分量は、昼夜の温度変化に応じて、若干の遅れがあるものの同傾向で変化していることがわかった。このことにより、センサＡは油温変化に追従して絶縁紙と絶縁油間の水分移動を精度よく測定可能なことがわかった。
【０１３７】
図２８にセンサＡの温度センサで測定した油温と油中水分量の関係を示す。容器（容器部）内の絶縁油の温度のわずかな変化に対し、絶縁紙から吸脱着されることにより変動する油中水分量のわずかな変化が確認できる。以上のことから、今回適用したセンサ（特にセンサＡ）は十分な応答性をもって、絶縁紙中／絶縁油中の水分移動をモニタ可能であると判断できる。
【０１３８】
（油温変化に対する新品絶縁紙と劣化絶縁紙の油中水分変化）
（１）新品の絶縁紙（ＤＰ１０００）に対する油温の変動パターンと油中水分量の変化
油温の変動パターンは、油温を３０℃から７０℃に急速に昇温後一定時間保持し、その後３０℃まで降温させる制御を２回繰り返したものである。図２９に（Ａ）に油温の経時的変化、図２９（Ｂ）に油温変化に対する油中水分量の経時的変化を示す。
【０１３９】
図２９（Ａ）及び（Ｂ）に示す結果から、絶縁油の温度の昇降に応じて両センサにより測定された油中水分量も昇降することが確認された。急速な昇温に対して、センサＢはセンサＡに対して油中水分量が遅れて上昇する傾向を示した。降温に対しては、同様な油中水分量の減少傾向を示した。これは、両センサの検出素子の位置の違いによって、水分の検知に時間差が生じた結果と考えられる。両センサの油中水分量の経時的変化は、１回目と２回目で同等の傾向であり、再現性が良いことが確認された。
【０１４０】
（２）劣化品の絶縁紙（ＤＰ４５０）に対する油温変動パターンと油中水分量の変化
劣化品の絶縁紙（ＤＰ４５０）に対して、新品の絶縁紙（ＤＰ１０００）と同様の温度設定にて油温を変動させた。ただし、７０℃の保持時間は水分の増加傾向に合わせて１回目の昇温時は新品より長く設定し、２回目の昇温時では新品の絶縁紙（ＤＰ１０００）の１回目の保持時間と同様に設定した。図３０に（Ａ）に油温の経時的変化（経時データ）、図３０（Ｂ）に油温変化に対する油中水分量の経時的変化（経時データ）を示す。
【０１４１】
図３０（Ａ）及び（Ｂ）から、１回目の昇温では、劣化品の絶縁紙（ＤＰ４５０）では新品の絶縁紙（ＤＰ１０００）に比べて油中水分量が長時間をかけて増加することがわかった。ただし、油中水分量の増加速度は、新品の絶縁紙（ＤＰ１０００）１．２ｐｐｍ／ｈ、劣化品の絶縁紙（ＤＰ４５０）１．１ｐｐｍ／ｈと、同傾向であった。
【０１４２】
また、２回目の昇温では、劣化品の絶縁紙（ＤＰ４５０）の油中水分量の増加量は新品の絶縁紙（ＤＰ１０００）と同等レベルまで増加したが、降温の際は特に後半の水分低下がゆるやかになる傾向であった。これは、劣化によって絶縁紙の保水力（水分吸着力）が低くなっているため、水分が速やかに絶縁紙に戻らないということが想定される。
【０１４３】
以上の結果から、センサにより測定した劣化品の絶縁紙（ＤＰ４５０）の油中水分量の変化の特徴は、昇温に対し油中水分量が多くなること、降温に対し水分低下がゆるやかであることと考えられる。
【０１４４】
（３）新品の絶縁紙（ＤＰ１０００）と劣化品の絶縁紙（ＤＰ４５０）の油温に対する油中水分量変化のトレンドの比較
図３１（Ａ）及び（Ｂ）に、センサＡで測定した新品の絶縁紙（ＤＰ１０００）と劣化品の絶縁紙（ＤＰ４５０）の油温に対する油中水分量変化のトレンドを示す。図３１に示すように、新品の絶縁紙（ＤＰ１０００）と劣化品の絶縁紙（ＤＰ４５０）の油中水分量は共に、昇温に伴ってゆるやかに増加後急増、その後油温低下に伴ってゆるやかに減少し、環状のトレンドとなることがわかる。図３１（Ａ）に示すように昇温時間を長くとった場合は、劣化品の絶縁紙（ＤＰ４５０）では多くの水分が絶縁紙から放出され、油中水分量は新品の絶縁紙（ＤＰ１０００）と比べて大きく増加するトレンドであった。
【０１４５】
また、図３１（Ｂ）に示すように同じ温度パターンで温度変化させた場合にも、昇温時の著しい増加は見られないものの劣化品の絶縁紙（ＤＰ４５０）の油中水分量は多めであり、劣化品の絶縁紙（ＤＰ４５０）は水分変化のトレンドがより高水分量側へシフトしていることがわかる。これらのトレンドが、絶縁紙が劣化した場合の特徴的トレンドである。実器の場合、負荷の状況により、また、季節によって油温の昇降が変化すると想定されるが、精度のよいセンサで油中水分量の変化トレンドを常時モニタし、得られたデータにおいてこのような新品の絶縁紙（ＤＰ１０００）と劣化品の絶縁紙（ＤＰ４５０）のトレンドの特徴的な差を数値解析することで、絶縁紙の劣化度を診断可能である。
【０１４６】
（４）劣化絶縁紙（ＤＰ４５０）の油温変化に対する油中水分変化
油温の変動パターンは、油温を３０℃から７０℃に急速に昇温後一定時間保持し、その後３０℃まで降温させる制御を３回繰り返したものである。図３２（Ａ）に油温の経時的変化、図３２（Ｂ）に油温変化に対する油中水分量の経時的変化を示す。
【０１４７】
図３２（Ａ）及び（Ｂ）から、劣化品の絶縁紙（ＤＰ４５０）では新品の絶縁紙（ＤＰ１０００）に比べて油中水分量が長時間をかけて増加することがわかった。
【０１４８】
（５）劣化絶縁紙（ＤＰ６００）の油温変化に対する油中水分変化
油温の変動パターンは、油温を３０℃から７０℃に急速に昇温後一定時間保持し、その後３０℃まで降温させる制御を２回繰り返したものである。図３３（Ａ）に油温の経時的変化、図３３（Ｂ）に油温変化に対する油中水分量の経時的変化を示す。
【０１４９】
図３３（Ａ）及び（Ｂ）から、劣化品の絶縁紙（ＤＰ６００）では新品の絶縁紙（ＤＰ１０００）に比べて油中水分量が長時間をかけて増加することがわかった。
【０１５０】
（６）新品絶縁紙（ＤＰ１０００）と劣化絶縁紙（ＤＰ４５０、ＤＰ６５０）における水分の吸脱着速度の比較
油温の変動パターンは、油温を３０℃から７０℃に急速に昇温後一定時間保持し、その後３０℃まで降温させる制御を行ったものである。図３４（Ａ）に油温の経時的変化、図３４（Ｂ）に油温変化に対する油中水分量の経時的変化を示す。
【０１５１】
図３４（Ａ）及び（Ｂ）から、絶縁紙の劣化度が高いほど、油中水分量の低下速度がについて、緩やかになる傾向が見られた。油中水分量の増加速度については、絶縁紙の劣化度に応じた増加速度の差が少なかった。この結果は、絶縁紙の劣化により紙の保水力（水分吸着力）が低下していることにより、油中水分が速やかに紙中に移動しないことが原因であると想定される。
【０１５２】
＜まとめ＞
絶縁紙の劣化に伴う紙中／油中水分平衡関係の変化を利用し、変圧器における劣化時の油温の変化に対する油中水分量のトレンド変化による変圧器劣化診断の可能性について検証を行った。新品絶縁紙と劣化絶縁紙をそれぞれ絶縁油中で昇降温したところ、劣化絶縁紙での油中水分量が多く、センサで測定した絶縁油温度変化に伴う油中水分量のトレンドが新品絶縁紙と異なることが確認された。例えば、この差異から、温度、水分を精度良く測定できるセンサを用いることで、変圧器の劣化診断ができる。
【０１５３】
なお、本発明の技術範囲は、上述の実施形態などで説明した態様に限定されるものではない。上述の実施形態などで説明した要件の１つ以上は、省略されることがある。また、上述の実施形態などで説明した要件は、適宜組み合わせることができる。また、法令で許容される限りにおいて、上述の実施形態などで引用した全ての文献の開示を援用して本文の記載の一部とする。
【０１５４】
なお、上述の実施形態では、診断システム１、１Ａ〜１Ｄは、変圧器２、２Ａ〜２Ｄに備えられる構成の例を説明したが、この例に限定されない。例えば、診断システム１、１Ａ〜１Ｄは、単体として、既存の油入変圧器に取り付けて用いる構成としてもよい。
【０１５５】
また、上述の実施形態では、診断システム１、１Ａ〜１Ｅは、油温センサ１７及び水分量センサ１８の測定結果に基づいて、変圧器（絶縁紙）の劣化を評価する例を示したが、この例に限定されない。例えば、診断システム１、１Ａ〜１Ｅは、水素（Ｈ２）あるいは一酸化炭素（ＣＯ）等、絶縁油中のガスを測定可能な他のガスセンサ（オンラインガスセンサ）を備え、その測定結果を用いて、絶縁油中のガス分析方法による、上記した変圧器の異常診断を、変圧器の劣化診断とともに行う構成としてもよい。
【符号の説明】
【０１５６】
１、１Ａ〜１Ｅ・・・診断システム
２、２Ａ〜２Ｄ・・・変圧器
４・・・鉄心
５・・・一次巻線（巻線）
６・・・二次巻線（巻線）
７・・・絶縁油
８・・・タンク
１０・・・冷却器
１１・・・一次ブッシング
１２・・・二次ブッシング
１６・・・センサ収容部
１７・・・油温センサ
１８・・・水分量センサ
１９、１９Ｅ・・・処理装置
２４、２４Ｅ・・・処理部
２５・・・記憶部
２６・・・通信部
２８、２８Ｅ・・・処理装置
３０、３０Ａ〜３０Ｃ・・・評価部
３２・・・寿命評価部
３４・・・データ管理部
３５・・・記憶部
３６・・・処理部
４０・・・絶縁紙
４１・・・油中水分検出槽
４２・・・加熱装置
４３・・・絶縁油
Ｄ１・・・経時データ
ＮＷ・・・ネットワーク
【図１】
2019102694.tif 000010
【図２】
2019102694.tif 000011
【図３】
2019102694.tif 000012
【図４】
2019102694.tif 000013
【図５】
2019102694.tif 000014
【図６】
2019102694.tif 000015
【図７】
2019102694.tif 000016
【図８】
2019102694.tif 000017
【図９】
2019102694.tif 000018
【図１０】
2019102694.tif 000019
【図１１】
2019102694.tif 000020
【図１２】
2019102694.tif 000021
【図１３】
2019102694.tif 000022
【図１４】
2019102694.tif 000023
【図１５】
2019102694.tif 000024
【図１６】
2019102694.tif 000025
【図１７】
2019102694.tif 000026
【図１８】
2019102694.tif 000027
【図１９】
2019102694.tif 000028
【図２０】
2019102694.tif 000029
【図２１】
2019102694.tif 000030
【図２２】
2019102694.tif 000031
【図２３】
2019102694.tif 000032
【図２４】
2019102694.tif 000033
【図２５】
2019102694.tif 000034
【図２６】
2019102694.tif 000035
【図２７】
2019102694.tif 000036
【図２８】
2019102694.tif 000037
【図２９】
2019102694.tif 000038
【図３０】
2019102694.tif 000039
【図３１】
2019102694.tif 000040
【図３２】
2019102694.tif 000041
【図３３】
2019102694.tif 000042
【図３４】
2019102694.tif 000043